Podtech/llm-jp-corpus-v4-ja_patent huggingface dataset:
【手続補正書】
【提出日】令和2年12月4日(2020.12.4)
【手続補正１】
【補正対象書類名】明細書
【補正対象項目名】００２７
【補正方法】変更
【補正の内容】
【００２７】
（モータケース）
モータケース５は、例えばアルミダイキャスト等の放熱性の優れた材料により形成されている。モータケース５は、軸方向に分割可能に構成された第１モータケース６と、第２モータケース７と、からなる。第１モータケース６及び第２モータケース７は、それぞれ有底筒状に形成されている。
第１モータケース６は、底部１０が減速部３のギヤケース４０と接合されるように、このギヤケース４０と一体成形されている。底部１０の径方向略中央には、ロータ９のシャフト３１を挿通可能な貫通孔１０ａが形成されている。
【手続補正２】
【補正対象書類名】明細書
【補正対象項目名】００４７
【補正方法】変更
【補正の内容】
【００４７】
コントローラ基板６２は、いわゆるエポキシ基板に複数の導電性のパターン（不図示）が形成されたものである。コントローラ基板６２には、モータ部２のステータコア２０から引き出されたコイル２４の端末部が接続されていると共に、カバー６３に設けられたコネクタ１１の端子（不図示）が電気的に接続されている。また、コントローラ基板６２には、磁気検出素子６１の他に、コイル２４に供給する電流を制御するＦＥＴ（Ｆｉｅｌｄ  Ｅｆｆｅｃｔ  Ｔｒａｎｓｉｓｔｏｒ：電界効果トランジスタ）等のスイッチング素子からなるパワーモジュール（不図示）が実装されている。さらに、コントローラ基板６２には、このコントローラ基板６２に印加される電圧の平滑化を行うコンデンサ（不図示）等が実装されている。
【手続補正３】
【補正対象書類名】明細書
【補正対象項目名】００４８
【補正方法】変更
【補正の内容】
【００４８】
このように構成されたコントローラ基板６２を覆うカバー６３は、樹脂により形成されている。また、カバー６３は、若干外側に膨出するように形成されている。そして、カバー６３の内面側は、コントローラ基板６２等を収容するコントローラ収容部５６とされている。
また、カバー６３の外周部に、コネクタ１１が一体成形されている。このコネクタ１１は、不図示の外部電源から延びるコネクタと嵌着可能に形成されている。そして、コネクタ１１の不図示の端子に、コントローラ基板６２が電気的に接続されている。これにより、外部電源の電力がコントローラ基板６２に供給される。
【手続補正４】
【補正対象書類名】明細書
【補正対象項目名】００５５
【補正方法】変更
【補正の内容】
【００５５】
図６は、ロータ９のｑ軸、ｄ軸のインダクタンスＬｑ、Ｌｄ［ｍＨ］を示すグラフであって、本実施形態のロータ９と、従来構造のロータとを比較している。なお、ここでいう従来構造とは、ロータコアに複数形成したスリット内に永久磁石を配置した、いわゆるＩＰＭ（Ｉｎｔｅｒｉｏｒ  Ｐｅｒｍａｎｅｎｔ  Ｍａｇｎｅｔ）モータのロータの構造である。
同図に示すように、従来構造と比較して、本実施形態のロータ９は、ｑ軸、ｄ軸とも、インダクタンス値が小さくなっていることが確認できる。
【手続補正５】
【補正対象書類名】明細書
【補正対象項目名】００６０
【補正方法】変更
【補正の内容】
【００６０】
図１１は、縦軸をロータ９の磁石３３の周方向の端部３３ｓにおける磁束密度［Ｔ］とし、横軸をロータ９の回転角［ｄｅｇ］とした場合の磁石３３の周方向の端部３３ｓにおける磁束密度の変化を示すグラフである。より具体的には、図１０は、ロータ９の磁石３３の周方向の端部３３ｓにおける磁束密度［Ｔ］を示すグラフであって、突極３５を磁石３３の周方向の端部３３ｓよりも径方向外側に突出させた場合（図１１中、符号Ｅ）と、突極３５を磁石３３の周方向の端部３３ｓよりも径方向外側に突出させない場合（図１１中、符号Ｃ）とを比較している。
同図に示すように、突極３５を磁石３３の周方向の端部３３ｓよりも径方向外側に突出させない場合に比較し、突極３５を磁石３３の周方向の端部３３ｓよりも径方向外側に突出させた場合は、磁束密度が高く、減磁しにくいことが確認できる。
【手続補正６】
【補正対象書類名】明細書
【補正対象項目名】００６１
【補正方法】変更
【補正の内容】
【００６１】
図１２、図１３は、突極３５の周囲における磁束の向きを示す図であって、突極３５を磁石３３の周方向の端部３３ｓよりも径方向外側に突出させた場合（図１２）と、突極３５を磁石３３の周方向の端部３３ｓよりも径方向外側に突出させない場合（図１３）とを比較している。
この図１３に示すように、突極３５を磁石３３の周方向の端部３３ｓよりも径方向外側に突出させない場合に比較し、図１２に示すように、突極３５を磁石３３の周方向の端部３３ｓよりも径方向外側に突出させた場合は、磁石３３の端部３３ｓに磁束が集中するのを抑え、突極３５に磁束が集中することが確認できる。
【手続補正７】
【補正対象書類名】明細書
【補正対象項目名】００６５
【補正方法】変更
【補正の内容】
【００６５】
さらに、図１６は、縦軸をロータ９の磁石３３の周方向の端部３３ｓにおける磁束密度［Ｔ］とし、横軸をロータ９の回転角［ｄｅｇ］とした場合の磁石３３の周方向の端部３３ｓにおける磁束密度の変化を示すグラフである。より具体的には、図１５は、ロータ９の磁石３３の周方向の端部３３ｓにおける磁束密度［Ｔ］を示すグラフであって、突極３５を磁石３３の周方向の端部３３ｓよりも径方向外側に突出させた場合（図１６中、符号Ｅ）と、突極３５を磁石３３の周方向の端部３３ｓよりも径方向外側に突出させない場合（図１６中、符号Ｃ）と、のそれぞれで、磁石３３の着磁の配向をパラレル配向とした場合とラジアル配向とした場合とを比較している。
図１７は、突極３５を磁石３３の周方向の端部３３ｓよりも径方向外側に突出させた場合（図１７中、符号Ｅ）と、突極３５を磁石３３の周方向の端部３３ｓよりも径方向外側に突出させない場合（図１７中、符号Ｃ）と、のそれぞれで、磁石３３の着磁の配向をパラレル配向とした場合とラジアル配向とした場合の、磁束密度の最小値（ＭＩＮ）を比較している。
【手続補正８】
【補正対象書類名】図面
【補正対象項目名】図１
【補正方法】変更
【補正の内容】
【図１】
2019022431.tif 000001
【手続補正９】
【補正対象書類名】図面
【補正対象項目名】図３
【補正方法】変更
【補正の内容】
【図３】
2019022431.tif 000002
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
半導体基板、光学基板、及び磁性基板の少なくとも１つのウェーハを研磨又は平坦化するのに適した研磨パッドであって、前記研磨パッドは、
ポリマーマトリックスと厚さとを有する研磨層であり、
前記研磨層が、中心、外縁部、および前記研磨パッドの前記中心から前記外縁部へ延在する半径を含む、前記研磨層と；
前記研磨層を複数の研磨領域に分割する、前記研磨層内の放射状供給溝であり、
前記放射状供給溝が、前記研磨パッドの少なくとも前記中心に近接する位置から前記外縁部に近接する位置まで延在する、前記放射状供給溝；及び
一対の隣接する放射状供給溝を接続する一連の偏倚された溝を含む各研磨領域であり、
前記偏倚された溝の大部分が、前記研磨パッドの前記中心に向けての内側への偏倚、又は、前記研磨パッドの前記外縁部に向けての外側への偏倚、のいずれかを有し、
前記内側へ、及び、外側へ偏倚された両方の溝が、研磨流体を、前記研磨パッドの前記外縁部に向けて移動、且つ、内側への偏倚、若しくは、外側への偏倚、及び、前記研磨パッドの回転方向に依存して、前記ウェーハの方へ、又は、前記ウェーハから離れるように移動させるために存在し、
偏倚された溝の総数が、放射状供給溝の総数の少なくとも１５倍である、前記各研磨領域と、
を備えている、
上記研磨パッド。
【請求項２】
全ての研磨領域は、同じ偏倚を有している、請求項１に記載の研磨パッド。
【請求項３】
前記研磨パッド、及び、前記ウェーハの反時計回りの回転中に、ウェーハの下でのスラリー滞留時間を増加させるための内側への偏倚を含んでいる、請求項１に記載の研磨パッド。
【請求項４】
前記研磨パッドは、少なくとも３つの放射状供給溝を含んでいる、請求項１に記載の研磨パッド。
【請求項５】
一対の隣接する放射状供給溝を接続している前記一連の偏倚された溝は、平行直線溝である、請求項１に記載の研磨パッド。
【請求項６】
半導体基板、光学基板、及び磁性基板の少なくとも１つのウェーハを研磨又は平坦化するのに適した研磨パッドであって、前記研磨パッドは、
ポリマーマトリックスと厚さとを有する研磨層であり、
前記研磨層が、中心、外縁部、および前記研磨パッドの前記中心から前記外縁部へ延在する半径を含む、前記研磨層と；
前記研磨層を複数の研磨領域に分割する、前記研磨層内の放射状供給溝であり、
前記研磨領域が、２つの隣接する放射状供給溝によって画定された扇形であり、
二等分線が、研磨領域を二等分し、
前記放射状供給溝が、前記研磨パッドの少なくとも前記中心に近接する位置から前記外縁部に近接する位置まで延在する、前記放射状供給溝；及び、
一対の隣接する放射状供給溝を接続する一連の偏倚された溝を含む各研磨領域であり、
前記偏倚された溝の大部分が、前記二等分線から２０度〜８０度の角度で、前記研磨パッドの前記中心の方に向けられた内側への偏倚、又は、前記二等分線から９５度〜１６５度の角度で、前記研磨パッドの前記外縁部の方に向けられた外側への偏倚、のいずれかを有し、
前記内側へ及び外側へ偏倚された両方の溝が、研磨流体を、前記研磨パッドの前記外縁部に向けて移動、且つ、内側への偏倚、若しくは、外側への偏倚、及び、前記研磨パッドの回転方向に依存して、前記ウェーハの方へ、又は、前記ウェーハから離れるように移動させるために存在し、
偏倚された溝の総数が、放射状供給溝の総数の少なくとも１５倍である、前記各研磨領域と、
を備えている、
上記研磨パッド。
【請求項７】
全ての研磨領域は、同じ偏倚を有している、請求項６に記載の研磨パッド。
【請求項８】
前記研磨パッド、及び、前記ウェーハの反時計回りの回転中に、ウェーハの下でのスラリー滞留時間を増加させるための内側への偏倚を含んでいる、請求項６に記載の研磨パッド。
【請求項９】
前記研磨パッドは、少なくとも３つの放射状供給溝を含んでいる、請求項６に記載の研磨パッド。
【請求項１０】
一対の隣接する放射状供給溝を接続している前記一連の偏倚された溝は、平行直線溝である、請求項６に記載の研磨パッド。
【手続補正２】
【補正対象書類名】明細書
【補正対象項目名】００１０
【補正方法】変更
【補正の内容】
【００１０】
本発明の別の態様は、半導体基板、光学基板及び磁性基板の少なくとも１つのウェーハを研磨又は平坦化するのに適した研磨パッドを提供する。この研磨パッドは、ポリマーマトリックスと厚さとを有する研磨層であり、上記研磨層が、中心、外縁部、および上記研磨パッドの上記中心から上記外縁部へ延在する半径を含む、上記研磨層と；上記研磨層を複数の研磨領域に分割する、上記研磨層内の放射状供給溝であり、上記研磨領域が、２つの隣接する放射状供給溝によって画定された扇形であり、二等分線が、研磨領域を二等分し、上記放射状供給溝が、上記研磨パッドの少なくとも上記中心に近接する位置から上記外縁部に近接する位置まで延在する、上記放射状供給溝；及び、一対の隣接する放射状供給溝を接続する一連の偏倚された溝を含む各研磨領域であり、上記偏倚された溝の大部分が、上記二等分線から２０度〜８０度の角度で、上記研磨パッドの上記中心の方に向けられた内側への偏倚、又は、上記二等分線から９５度〜１６５度の角度で、上記研磨パッドの上記外縁部の方に向けられた外側への偏倚、のいずれかを有し、上記内側へ、及び、外側へ偏倚された両方の溝が、研磨流体を、上記研磨パッドの上記外縁部に向けて移動、且つ、内側への偏倚、若しくは、外側への偏倚、及び、上記研磨パッドの回転方向に依存して、上記ウェーハの方へ、又は、上記ウェーハから離れるように移動させるために存在し、偏倚された溝の総数が、放射状供給溝の総数の少なくとも１５倍である、上記各研磨領域と、を備えている。
【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
医療流体流路の２つの中空の可撓性熱可塑性セグメント（２０，２２，６６，６８）の間に熱接着された接続部位を形成するための接続形成装置（６４）と、前記熱接着された接続部位を開放するための接続部位開放ステーション（８６）とを備え、前記熱接着された接続部位（８４）は軸（８８）を有し、
前記接続部位開放ステーションは、
２つの前記セグメントと前記熱接着された接続部位を対向面の間に受容するために十分に離間された少なくとも２つの対向面（９０，９２，９４，９６）を含み、
前記対向面は、前記接続部位軸を中心として前記接続部位を回転させて、前記接続部位軸に実質的に垂直な力を前記接続部位に加えるために相対的に移動可能である、接続システム。
【請求項２】
前記対向面の１つが実質的に静止しており、他方の前記対向面が少なくとも２つの自由度で移動可能である、請求項１に記載の接続システム。
【請求項３】
前記対向面の各々は、少なくとも１つの自由度で移動可能である、請求項１に記載の接続システム。
【請求項４】
少なくとも１つの前記対向面は、１つの方向に少なくとも１つの自由度で移動可能であり、他方の前記対向面が少なくとも１つの自由度で異なる方向に移動可能である、請求項１に記載の接続システム。
【請求項５】
前記対向面の１つは実質的に円筒形であり、それ自身の軸の周りに回転可能であり、他の前記対向面は実質的に平面であり、前記円筒形の面の前記軸に実質的に垂直な方向に移動可能である、請求項１に記載の接続システム。
【請求項６】
前記対向面の各々は実質的に平面であり、前記対向面の一方が他方の前記対向面に略垂直な方向に移動可能であり、他方の前記対向面は、前記一方の前記対向面に実質的に平行な方向に移動可能である、請求項１に記載の接続システム。
【請求項７】
医療流体路の２つの中空の可撓性熱可塑性セグメント（６６，６８）の間に熱接着された接続部位（８４）を開放するための接続開放システムであって、前記熱接着された接続部位は軸（８８）を有し、
前記接続開放システムは、
少なくとも２つの対向面（９０，９２，９４，９６）を備える接続部位開放ステーション（８６）を含み、
前記対向面は、２つの前記セグメントと前記熱接着された接続部位を対向面の間に受容するために十分に離間され、
前記対向面は、前記接続部位軸を中心として前記接続部位を回転させて、前記接続部位軸に実質的に垂直な力を前記接続部位に加えるために相対的に移動可能である、接続開放システム。
【請求項８】
前記対向面の一方が静止しており、他方の前記対向面が少なくとも２つの自由度で移動可能である、請求項７に記載の接続開放システム。
【請求項９】
前記対向面の各々は、少なくとも１つの自由度で移動可能である、請求項７に記載の接続開放システム。
【請求項１０】
１つの前記対向面は、１つの方向に少なくとも１つの自由度で移動可能であり、他方の前記対向面は、少なくとも１つの自由度で異なる方向に移動可能である、請求項７に記載の接続開放システム。
【請求項１１】
前記異なる方向は、前記１つの方向に実質的に直交する、請求項１０に記載の接続開放システム。
【請求項１２】
前記対向面の１つは実質的に円筒形であり、それ自身の軸の周りで回転可能であり、他の前記対向面は実質的に平面であり、前記円筒形の表面の前記軸に実質的に垂直な方向に移動可能である、請求項７に記載の接続開放システム。
【請求項１３】
前記対向面の各々は実質的に平面であり、前記対向面のうちの少なくとも一方は、他方の前記対向面に略垂直な方向に移動可能であり、他方の前記対向面は、前記一方の前記対向面に実質的に平行な方向に移動可能である、請求項７に記載の接続開放システム。
【請求項１４】
医療用流体路の２つの中空の可撓性熱可塑性セグメントの間に熱接着された接続部位を開放する方法であって、前記熱接着された接続部位は軸を有し、
前記方法は、
請求項１から請求項１３までのいずれか１項に記載のシステムの１つの前記対向面の間に前記接続部位を配置することと、
前記接続部位軸に実質的に垂直に前記接続部位を圧縮し、前記接続部位軸を中心として前記接続部位を回転させるために前記表面を移動することを含む、方法。
【請求項１５】
前記圧縮と前記回転が実質的に同時に行われる、請求項１４に記載の方法。
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
符号化ストリームから復号対象のブロックの量子化変換係数をエントロピー復号するエントロピー復号部と、
前記量子化変換係数を逆量子化して変換係数を出力する逆量子化部と、
前記変換係数を逆変換する逆変換部と、
前記逆変換部により逆変換された結果と、前記ブロックに対応する予測信号とを加算して復号画像を得る加算部と、
前記復号画像の第一の成分に対し、第一の範囲内の画素値を、前記第一の範囲と異なる第二の範囲内の画素値に変換する画素値変換処理を行う画素値変換部と、
前記画素値変換処理が行われた前記復号画像に対するフィルタ処理を行うループフィルタと、
を備えることを特徴とする映像復号装置。
【請求項２】
前記エントロピー復号部は、前記第一の範囲と前記第二の範囲とのうち一以上を示す情報を前記符号化ストリームから取得することを特徴とする請求項１に記載の映像復号装置。
【請求項３】
前記エントロピー復号部は、前記ブロックに対する前記画素値変換処理の要否を示す情報を前記符号化ストリームから取得することを特徴とする請求項１又は２に記載の映像復号装置。
【請求項４】
前記画素値変換部は、前記復号画像の第一の成分の信号の画素値が複数の前記第一の範囲のうちいずれの前記第一の範囲に属するかを特定し、当該特定した第一の範囲に応じた変換方法で当該画素値の画素値変換処理を行うことを特徴とする請求項１乃至３のいずれか一項に記載の映像復号装置。
【請求項５】
コンピュータを請求項１乃至４のいずれか一項に記載の映像復号装置として機能させることを特徴とするプログラム。
【手続補正書】
【提出日】令和3年9月21日(2021.9.21)
【手続補正１】
【補正対象書類名】明細書
【補正対象項目名】００４３
【補正方法】変更
【補正の内容】
【００４３】
実施の形態３でも、実施の形態１で説明したように、キャップ本体１１に補強部材２１を固定する方法は、係合孔と係合突起２４の組み合わせには限らない。筒部１３の外側面と補強部材２１の縁の内周に形成された、溝と凸部を係合させる方法でもよい。接着剤でキャップ本体１１に補強部材２１を固定してもよい。また、それらの固定方法を併用してもよい。
【手続補正２】
【補正対象書類名】明細書
【補正対象項目名】００４５
【補正方法】変更
【補正の内容】
【００４５】
キャップ本体１１には、実施の形態２と同様に、径方向外方に突出する４つの突起１６が外側面に形成されている。図９の例では、外側面の４箇所に突起１６が形成されている。環状の補強部材２１には、キャップ本体１１のそれぞれの突起１６の少なくとも一部を径方向外方に露出させ、突起１６の一部が嵌まる凹部２２が形成されている。実施の形態４では、筒部１３の縁の側で、突起１６の一部が凹部２２に嵌まる。補強部材２１は、キャップ本体１１の筒部１３の底部１２とは反対側の縁の外周を覆って、筒部１３の外側面に嵌合している。突起１６と凹部２２の数は４に限定されないが、２以上であることが好ましい。
【手続補正書】
【提出日】令和3年5月20日(2021.5.20)
【手続補正１】
【補正対象書類名】明細書
【補正対象項目名】０００１
【補正方法】変更
【補正の内容】
【０００１】
本発明は、所定抽選の当選確率に係る設定値を設定可能な遊技機に関する。
【手続補正２】
【補正対象書類名】明細書
【補正対象項目名】０００６
【補正方法】変更
【補正の内容】
【０００６】
本発明は、上記した実情に鑑みてなされたものであり、その目的は、設定値を設定可能な遊技機において、外部信号の出力処理を適切に行うことができる遊技機を提供することにある。
【手続補正３】
【補正対象書類名】明細書
【補正対象項目名】０００７
【補正方法】変更
【補正の内容】
【０００７】
上記の課題を解決するため、本発明は、所定抽選の当選確率に係る設定値が設けられ、設定された前記設定値に基づいて遊技を進行する遊技機であって、前記設定値に関する設定異常状態が発生したか否かを判定する判定手段と、前記判定手段が前記設定異常状態の発生を判定したことに基づいて、外部信号を出力する外部信号出力手段と、を備えている、ことを特徴としている。
【手続補正４】
【補正対象書類名】明細書
【補正対象項目名】００１０
【補正方法】変更
【補正の内容】
【００１０】
本発明によると、設定値に関する設定異常状態の発生が判定されると、外部信号が出力されて当該設定異常状態の発生を外部に知らせることができる。したがって、設定値を設定可能な遊技機において、外部信号の出力処理を適切に行うことができる。
【手続補正５】
【補正対象書類名】明細書
【補正対象項目名】０５７６
【補正方法】変更
【補正の内容】
【０５７６】
このように、本実施形態の遊技機１００は設定異常状態になると、セキュリティ信号（外部信号）が出力されるように構成されている。この構成によれば、設定異常状態になった場合には、当該設定異常状態の発生を外部に知らせることができるので、設定値を設定可能な遊技機において、外部信号の出力処理を適切に行うことができる。
【手続補正６】
【補正対象書類名】特許請求の範囲
【補正対象項目名】全文
【補正方法】変更
【補正の内容】
【特許請求の範囲】
【請求項１】
所定抽選の当選確率に係る設定値が設けられ、設定された前記設定値に基づいて遊技を進行する遊技機であって、
前記設定値に関する設定異常状態が発生したか否かを判定する判定手段と、
前記判定手段が前記設定異常状態の発生を判定したことに基づいて、外部信号を出力する外部信号出力手段と、を備えている、ことを特徴とする遊技機。
【請求項２】
前記判定手段は、前記設定異常状態とは異なる他の異常状態が発生したか否かを判定し、
前記外部信号出力手段は、前記設定異常状態の発生が判定された場合と、前記他の異常状態の発生が判定された場合とで共通の前記外部信号を出力する、ことを特徴とする請求項１に記載の遊技機。
【請求項３】
前記外部信号出力手段が前記他の異常状態の発生に基づいて前記外部信号を出力している間に、前記判定手段が前記設定異常状態の発生を判定すると、
前記外部信号出力手段は、前記他の異常状態の発生に基づく前記外部信号の出力を開始したときから少なくとも前記設定異常状態が解除されるまで前記外部信号を継続して出力可能にする、ことを特徴とする請求項２に記載の遊技機。
【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
かみそりヘッド（２）に可動刃（６）と固定刃（７）とが設けられており、
固定刃（７）と、固定刃（７）を支持する固定刃ホルダー（８）とで囲まれた毛屑室（
１６）の底部に、毛屑を受止める毛屑受部（１７）が設けられており、
毛屑室（１６）に臨むケース壁に、毛屑室（１６）に連通する洗浄開口（２０）が設け
られており、
洗浄開口（２０）に臨んで、洗浄開口（２０）に流下された洗浄水を毛屑受部（１７）
へ向かって流動案内するガイド体（２１）が設けられていることを特徴とする水洗い式電
気かみそり。
【請求項２】
洗浄開口（２０）に配置したガイド体（２１）が、洗浄開口（２０）を開閉する開閉体
（２６）を兼ねており、
開閉体（２６）は洗浄開口（２０）を閉止する閉止姿勢と、洗浄開口（２０）を開放す
る開放姿勢の間で変位可能であり、
開閉体（２６）が開放姿勢に切換った状態において、洗浄開口（２０）に流下された洗
浄水をガイド体（２１）で毛屑受部（１７）へ向かって流動案内できる請求項１に記載の
水洗い式電気かみそり。
【請求項３】
ガイド体（２１）は、開閉体（２６）の閉止動作に連動して洗浄開口（２０）から離れ
る待機姿勢と、開閉体（２６）の開放動作に連動して洗浄開口（２０）に臨む案内姿勢と
に姿勢変更でき、
開閉体（２６）が洗浄開口（２０）を開放した状態において、ガイド体（２１）が案内
姿勢に切換って、洗浄開口（２０）に流下された洗浄水を毛屑受部（１７）へ向かって流
動案内する請求項１に記載の水洗い式電気かみそり。
【請求項４】
開閉体（２６）は、開閉体（２６）の下部が回動軸（２３）で支持されて、洗浄開口（
２０）を閉止する閉止姿勢と、閉止姿勢から下向きに揺動して洗浄開口（２０）を開放す
る開放姿勢と、開放姿勢を越えて下向きに傾斜する格納姿勢の間で揺動開閉でき、
閉止姿勢と格納姿勢の間の開閉体（２６）の揺動角度が９０度以上に設定してある請求
項３に記載の水洗い式電気かみそり。
【請求項５】
開閉体（２６）とガイド体（２１）が個別に形成されて、連結軸（６３）を介して相対
回転可能に連結されており、
待機姿勢において下り傾斜するガイド体（２１）は、毛屑受部（１７）の上面より低い
位置に設けられて毛屑の一部を受止めており、
ガイド体（２１）は、閉止姿勢から開放姿勢へ揺動する開閉体（２６）に同行揺動して
、待機姿勢から毛屑受部（１７）に向かって上り傾斜する案内姿勢に切換わる請求項４に
記載の水洗い式電気かみそり。
【請求項６】
開閉体（２６）が閉止姿勢にあるとき、ガイド体（２１）に設けた規制壁（６６）が開
閉体（２６）に設けた受止壁（６５）で受止められて待機姿勢に位置保持されており、
開閉体（２６）とガイド体（２１）の間に、ガイド体（２１）を待機姿勢に向って揺動
付勢する連結ばね（６８）が配置されており、
開閉体（２６）が開放姿勢に切換る状態において、ガイド体（２１）の揺動端に設けた
ストッパー面（６７）が毛屑受部（１７）の前部に設けた段部（６９）で受止められて、
ガイド体（２１）が案内姿勢に位置保持される請求項４、または５に記載の水洗い式電気かみそり。
【請求項７】
開閉体（２６）が、案内姿勢に位置保持されたガイド体（２１）を残置した状態のまま
、連結ばね（６８）の付勢力に抗しながら開放位置から格納位置まで開放揺動する請求項
６に記載の水洗い式電気かみそり。
【手続補正書】
【提出日】令和3年7月13日(2021.7.13)
【手続補正１】
【補正対象書類名】特許請求の範囲
【補正対象項目名】全文
【補正方法】変更
【補正の内容】
【特許請求の範囲】
【請求項１】
評価用画像を表示する表示部と、
前記表示部を観察する被験者の注視点の位置データを検出する注視点検出部と、
前記表示部における前記評価用画像に対応する位置に判定領域を設定する領域設定部と、
前記注視点の位置データに基づいて、前記注視点が前記判定領域の内部に存在するか否かをそれぞれ判定する判定部と、
前記判定部の判定結果に基づいて、所定時間に前記注視点が存在する前記判定領域の数を算出する演算部と、
前記演算部が算出した前記注視点が存在する前記判定領域の数に基づいて、前記被験者が発達障がい者である可能性を評価する評価データを求める評価部と、
を備える評価装置。
【請求項２】
前記評価部は、前記演算部が算出した前記注視点が存在する前記判定領域の数が多い程、評価データの値が大きくなる計算式に基づいて、前記被験者の評価データを求め、前記評価データの値が大きい程、被験者が発達障がい者である可能性が低いと評価する、
請求項１に記載の評価装置。
【請求項３】
前記評価部は、さらに前記評価データの値が所定のしきい値以上であるか否かを判断し、評価の判定を行う、
請求項１または２に記載の評価装置。
【請求項４】
前記領域設定部は、ＡＳＤ（Autism  Spectrum  Disorder）の可能性が高い被験者と、ＡＳＤの可能性が低い被験者とで注視するか否かの傾向に差異が出る領域に前記判定領域を設定する、
請求項１から３のいずれか一項に記載の評価装置。
【請求項５】
前記評価用画像は、自然画と幾何学画像とを含み、
前記領域設定部は、前記自然画が表示された領域の少なくとも一部と、前記幾何学画像が表示された領域の少なくとも一部とにそれぞれ判定領域を設定し、
前記評価部は、前記自然画に設定された評価領域の方が前記幾何学画像に設定された評価領域よりも判定値が高くなるように前記判定値の重み付けを行い、前記判定値を積算することにより前記評価データを算出する、
請求項１から４のいずれか一項に記載の評価装置。
【請求項６】
表示部に評価用画像を表示する表示ステップと、
前記表示部を観察する被験者の注視点の位置データを検出する注視点検出ステップと、
前記表示部における前記評価用画像に対応する位置に判定領域を設定する領域設定ステップと、
前記注視点の位置データに基づいて、前記注視点が前記判定領域の内部に存在するか否かをそれぞれ判定する判定ステップと、
前記判定ステップにおける判定結果に基づいて、所定時間に前記注視点が存在する前記判定領域の数を算出する演算ステップと、
前記演算ステップによって算出された前記注視点が存在する前記判定領域の数に基づいて、前記被験者が発達障がい者である可能性を評価する評価データを求める評価ステップと、
を含む評価方法。
【請求項７】
表示部に評価用画像を表示する表示ステップと、
前記表示部を観察する被験者の注視点の位置データを検出する注視点検出ステップと、
前記表示部における前記評価用画像に対応する位置に判定領域を設定する領域設定ステップと、
前記注視点の位置データに基づいて、前記注視点が前記判定領域の内部に存在するか否かをそれぞれ判定する判定ステップと、
前記判定ステップにおける判定結果に基づいて、所定時間に前記注視点が存在する前記判定領域の数を算出する演算ステップと、
前記演算ステップによって算出された前記注視点が存在する前記判定領域の数に基づいて、前記被験者が発達障がい者である可能性を評価する評価データを求める評価ステップと、
をコンピュータに実行させる評価プログラム。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
第一方向に離間して、又は前記第一方向に電気的に絶縁された状態で配置された、第一電極ブロック及び第二電極ブロックと、
前記第一電極ブロック及び前記第二電極ブロックのそれぞれの側面上に、前記第一方向に延伸するように形成された凹溝と、
前記第一電極ブロック及び前記第二電極ブロックの双方に形成された前記凹溝に一部分が嵌め込まれ、且つ、前記第一電極ブロック及び前記第二電極ブロックに跨るように前記第一方向に延伸して配置された、エキシマランプからなる第一放電ランプと、
前記第一放電ランプに対して電力を供給するための電源部と、
前記第一電極ブロックと前記電源部とを電気的に接続する第一通電部材と、
前記第二電極ブロックと前記電源部とを、前記第一通電部材とは異なる電位で電気的に接続可能な第二通電部材と、
前記第一放電ランプから見て前記第一電極ブロックとは反対側、及び前記第一放電ランプから見て前記第二電極ブロックとは反対側に形成され、前記第一放電ランプから出射される紫外線を外部に取り出すための光照射窓とを備え、
前記第一放電ランプは、希ガスとハロゲンガスを含む第一放電用ガスが封入された管体を有し、
前記凹溝は、前記第一放電ランプの前記管体の側面の形状に沿う形状を呈し、
前記第一放電ランプから出射される前記紫外線の少なくとも一部は、前記第一放電ランプの前記管体から見て、前記第一電極ブロック又は前記第二電極ブロックが配置されている箇所の反対側から前記光照射窓に向かって進行することを特徴とする、紫外線照射装置。
【請求項２】
前記第一電極ブロック及び前記第二電極ブロックは、前記第一放電ランプから出射される光に対して反射性を有する金属部材からなることを特徴とする、請求項１に記載の紫外線照射装置。
【請求項３】
前記第一通電部材は、前記第一電極ブロックの所定の箇所に挿入されてなる第一ネジ部材と、前記第一ネジ部材と前記電源部とを接続する第一ワイヤとを含み、
前記第二通電部材は、前記第二電極ブロックの所定の箇所に挿入されてなる第二ネジ部材と、前記第二ネジ部材と前記電源部とを接続する第二ワイヤとを含むことを特徴とする、請求項１又は２に記載の紫外線照射装置。
【請求項４】
前記第一電極ブロック及び前記第二電極ブロックのそれぞれは、前記第一方向から見たときに、相互に離間した複数の箇所に前記凹溝が形成されており、
前記第一電極ブロック及び前記第二電極ブロックのそれぞれに形成された前記凹溝の個数に応じた数の前記第一放電ランプを備えることを特徴とする、請求項１〜３のいずれか１項に記載の紫外線照射装置。
【請求項５】
前記第一放電ランプよりも始動電圧の低い、第二放電ランプを有し、
前記第一電極ブロック及び前記第二電極ブロックのそれぞれは、前記第一方向から見たときに、相互に離間した複数の箇所に前記凹溝が形成されており、
前記第一電極ブロック及び前記第二電極ブロックのそれぞれに形成された前記凹溝の個数が、前記第一放電ランプの本数と前記第二放電ランプの本数の総数に対応していることを特徴とする、請求項１〜３のいずれか１項に記載の紫外線照射装置。
【請求項６】
前記第一放電ランプの本数は、前記第二放電ランプの本数以上であることを特徴とする、請求項５に記載の紫外線照射装置。
【請求項７】
前記第二放電ランプは、可視光を出射可能な第二放電用ガスが封入された管体を有することを特徴とする、請求項５又は６に記載の紫外線照射装置。
【請求項８】
前記第一放電用ガスは、ＫｒとＣｌとを含み、
前記第二放電用ガスは、Ｎｅを含むことを特徴とする、請求項７に記載の紫外線照射装置。
【請求項９】
前記電源部は、電池、及び前記電池から供給される電圧を変圧する電装体を含み、
前記電池が収容される電池収容部と、
前記電池収容部とは離間した位置に配置され前記電装体が収容される電装体収容部と、
前記電池収容部及び前記電装体収容部とは離間した位置に配置され、前記第一電極ブロック、前記第二電極ブロック、及び前記第一放電ランプを収容し、一部の箇所に前記光照射窓が形成されてなるランプ収容部と、
前記電池収容部、前記電装体収容部、及び前記ランプ収容部を収容するケーシング部材とを有することを特徴とする、請求項１〜８のいずれか１項に記載の紫外線照射装置。
【請求項１０】
前記第一電極ブロック及び前記第二電極ブロックは、前記第一方向に離間して配置されており、
前記第一放電ランプの管体の両端は、前記第一方向に関して、前記第一電極ブロック及び前記第二電極ブロックよりも外側に突出していることを特徴とする、請求項１〜９のいずれか１項に記載の紫外線照射装置。
【手続補正書】
【提出日】令和3年11月5日(2021.11.5)
【手続補正１】
【補正対象書類名】明細書
【補正対象項目名】０１０７
【補正方法】変更
【補正の内容】
【０１０７】
１，１０，２０，３０…流体殺菌装置、３，３’，３ａ，３ｂ…光源、３Ａ，３Ｂ…ＬＥＤ、４，４’…基板、５，１５，２５…筒体、６，７…レジューサ、６ａ…流入口、７ａ…流出口、８，８’…リフレクタ、８ａ，８ｂ…フランジ、９，１９…コネクタ、９ａ，１９ａ…配線、１１…ヒートシンク、１２，１２Ａ〜１２Ｆ，２２…整流板、１３Ａ，１３Ｂ…Оリング、１４…石英窓、１７…流出装置、１７ａ…流出口、１８…光源モジュール装置、２３…ＵＶ冷陰極管、２４…通水管、２４ａ…流入口、２４ｂ…流出口。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
第１情報表示手段と、
第２情報表示手段と、
ホッパと、
ホッパに設けられているディスクと、
ディスクを回転させるホッパモータと、
ホッパモータの駆動を制御する駆動制御手段と
を備え、
遊技区間として、第１区間と、第２区間とを有し、
第２区間では、第１情報表示手段にストップスイッチの有利な操作態様に関する情報が表示可能となるよう構成されており、
第２区間では、第２情報表示手段にストップスイッチの有利な操作態様に関する情報が表示可能となるよう構成されており、
第１情報表示手段はダイナミック点灯制御によりストップスイッチの有利な操作態様に関する情報が表示可能となるよう構成されており、
ダイナミック点灯制御により、所定の周期で第１情報表示手段を点灯させるよう構成されており、
第２区間であって、内部抽せん手段によって特定抽せん結果が決定された遊技では、指示遊技が実行される場合を有するよう構成されており、
最小遊技時間が経過している所定の状況下でスタートスイッチの操作が受け付けられて指示遊技が実行される場合、第１情報表示手段にストップスイッチの有利な操作態様に関する情報が表示された後に、第２情報表示手段にストップスイッチの有利な操作態様に関する情報が表示されるよう構成されており、
第１情報表示手段にストップスイッチの有利な操作態様に関する情報が表示された後に、第２情報表示手段にストップスイッチの有利な操作態様に関する情報が表示される指示遊技において、第１情報表示手段にストップスイッチの有利な操作態様に関する情報が表示された後に、第２情報表示手段にストップスイッチの有利な操作態様に関する情報が表示されるまでの時間は、所定の周期よりも長くなるよう構成されており、
クレジットが上限値に達している遊技において、所定の条件を満たすと、駆動制御手段がホッパモータを駆動させて、メダルの払い出しを可能とする払出処理を実行するように構成され、
ディスクには、ホッパ内に貯留されているメダルを保持可能な保持部が複数設けられ、
特定の状況下でホッパモータが駆動してディスクが回転すると、保持部に保持されているメダルが放出部から順次払い出されるように形成され、
特定の状況下で実行された払出処理によって最後に払い出されるメダルが放出口から払い出された瞬間の当該最後に払い出されるメダルが保持されていた保持部の位置を、第１位置とし、
特定の状況下で実行された払出処理によって最後に払い出されるメダルが放出口から払い出された瞬間における、次回の払出処理で払い出され得る最初に払い出されるメダルが保持されている保持部の位置を、第２位置とし、
特定の状況下で実行された払出処理が終了しディスクの回転が停止したときは、前記次回の払出処理で払い出され得る最初に払い出されるメダルが保持されている保持部が、第１位置と第２位置との間に位置している
ことを特徴とする遊技機。
【手続補正２】
【補正対象書類名】明細書
【補正対象項目名】０００５
【補正方法】変更
【補正の内容】
【０００５】
本態様に係る遊技機は、
第１情報表示手段と、
第２情報表示手段と、
ホッパと、
ホッパに設けられているディスクと、
ディスクを回転させるホッパモータと、
ホッパモータの駆動を制御する駆動制御手段と
を備え、
遊技区間として、第１区間と、第２区間とを有し、
第２区間では、第１情報表示手段にストップスイッチの有利な操作態様に関する情報が表示可能となるよう構成されており、
第２区間では、第２情報表示手段にストップスイッチの有利な操作態様に関する情報が表示可能となるよう構成されており、
第１情報表示手段はダイナミック点灯制御によりストップスイッチの有利な操作態様に関する情報が表示可能となるよう構成されており、
ダイナミック点灯制御により、所定の周期で第１情報表示手段を点灯させるよう構成されており、
第２区間であって、内部抽せん手段によって特定抽せん結果が決定された遊技では、指示遊技が実行される場合を有するよう構成されており、
最小遊技時間が経過している所定の状況下でスタートスイッチの操作が受け付けられて指示遊技が実行される場合、第１情報表示手段にストップスイッチの有利な操作態様に関する情報が表示された後に、第２情報表示手段にストップスイッチの有利な操作態様に関する情報が表示されるよう構成されており、
第１情報表示手段にストップスイッチの有利な操作態様に関する情報が表示された後に、第２情報表示手段にストップスイッチの有利な操作態様に関する情報が表示される指示遊技において、第１情報表示手段にストップスイッチの有利な操作態様に関する情報が表示された後に、第２情報表示手段にストップスイッチの有利な操作態様に関する情報が表示されるまでの時間は、所定の周期よりも長くなるよう構成されており、
クレジットが上限値に達している遊技において、所定の条件を満たすと、駆動制御手段がホッパモータを駆動させて、メダルの払い出しを可能とする払出処理を実行するように構成され、
ディスクには、ホッパ内に貯留されているメダルを保持可能な保持部が複数設けられ、
特定の状況下でホッパモータが駆動してディスクが回転すると、保持部に保持されているメダルが放出部から順次払い出されるように形成され、
特定の状況下で実行された払出処理によって最後に払い出されるメダルが放出口から払い出された瞬間の当該最後に払い出されるメダルが保持されていた保持部の位置を、第１位置とし、
特定の状況下で実行された払出処理によって最後に払い出されるメダルが放出口から払い出された瞬間における、次回の払出処理で払い出され得る最初に払い出されるメダルが保持されている保持部の位置を、第２位置とし、
特定の状況下で実行された払出処理が終了しディスクの回転が停止したときは、前記次回の払出処理で払い出され得る最初に払い出されるメダルが保持されている保持部が、第１位置と第２位置との間に位置している
ことを特徴とする遊技機である。
＜付記＞
尚、本態様とは異なる別態様について以下に列記しておくが、これらには何ら限定されることなく実施することが可能である。
本別態様に係る遊技機は、
演出を表示可能な演出表示部と、
演出用可動物と
を備え、
演出表示部に表示される第一の演出と、第二の演出とを有し、
第一の演出の実行中においては、遊技者に有利な結果が付与される可能性が高いことを報知する結果示唆演出と、第二の演出とが実行され得るよう構成されており、
第一の演出の実行中において、第二の演出が特定態様になった場合に演出用可動物が動作し、その後、結果示唆演出が実行される場合があるよう構成されている
ことを特徴とする遊技機である。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
第１情報表示手段と、
第２情報表示手段と、
ホッパと、
ホッパに設けられているディスクと、
ディスクを回転させるホッパモータと、
ホッパモータの駆動を制御する駆動制御手段と
を備え、
遊技区間として、第１区間と、第２区間とを有し、
第２区間では、第１情報表示手段にストップスイッチの有利な操作態様に関する情報が表示可能となるよう構成されており、
第２区間では、第２情報表示手段にストップスイッチの有利な操作態様に関する情報が表示可能となるよう構成されており、
第２区間であって、内部抽せん手段によって特定抽せん結果が決定された遊技では、指示遊技が実行される場合を有するよう構成されており、
最小遊技時間が経過している所定の状況下でスタートスイッチの操作が受け付けられて指示遊技が実行される場合、第１情報表示手段にストップスイッチの有利な操作態様に関する情報が表示された後に、第２情報表示手段にストップスイッチの有利な操作態様に関する情報が表示されるよう構成されており、
最小遊技時間が経過していない特定の状況下でスタートスイッチの操作が受け付けられて指示遊技が実行される場合、第２情報表示手段にストップスイッチの有利な操作態様に関する情報が表示された後に、第１情報表示手段にストップスイッチの有利な操作態様に関する情報が表示される場合を有するよう構成されており、
クレジットが上限値に達している遊技において、所定の条件を満たすと、駆動制御手段がホッパモータを駆動させて、メダルの払い出しを可能とする払出処理を実行するように構成され、
ディスクには、ホッパ内に貯留されているメダルを保持可能な保持部が複数設けられ、
特定の状況下でホッパモータが駆動してディスクが回転すると、保持部に保持されているメダルが放出部から順次払い出されるように形成され、
特定の状況下で実行された払出処理によって最後に払い出されるメダルが放出口から払い出された瞬間の当該最後に払い出されるメダルが保持されていた保持部の位置を、第１位置とし、
特定の状況下で実行された払出処理によって最後に払い出されるメダルが放出口から払い出された瞬間における、次回の払出処理で払い出され得る最初に払い出されるメダルが保持されている保持部の位置を、第２位置とし、
特定の状況下で実行された払出処理が終了しディスクの回転が停止したときは、前記次回の払出処理で払い出され得る最初に払い出されるメダルが保持されている保持部が、第１位置と第２位置との間に位置している
ことを特徴とする遊技機。
【手続補正２】
【補正対象書類名】明細書
【補正対象項目名】０００５
【補正方法】変更
【補正の内容】
【０００５】
本態様に係る遊技機は、
第１情報表示手段と、
第２情報表示手段と、
ホッパと、
ホッパに設けられているディスクと、
ディスクを回転させるホッパモータと、
ホッパモータの駆動を制御する駆動制御手段と
を備え、
遊技区間として、第１区間と、第２区間とを有し、
第２区間では、第１情報表示手段にストップスイッチの有利な操作態様に関する情報が表示可能となるよう構成されており、
第２区間では、第２情報表示手段にストップスイッチの有利な操作態様に関する情報が表示可能となるよう構成されており、
第２区間であって、内部抽せん手段によって特定抽せん結果が決定された遊技では、指示遊技が実行される場合を有するよう構成されており、
最小遊技時間が経過している所定の状況下でスタートスイッチの操作が受け付けられて指示遊技が実行される場合、第１情報表示手段にストップスイッチの有利な操作態様に関する情報が表示された後に、第２情報表示手段にストップスイッチの有利な操作態様に関する情報が表示されるよう構成されており、
最小遊技時間が経過していない特定の状況下でスタートスイッチの操作が受け付けられて指示遊技が実行される場合、第２情報表示手段にストップスイッチの有利な操作態様に関する情報が表示された後に、第１情報表示手段にストップスイッチの有利な操作態様に関する情報が表示される場合を有するよう構成されており、
クレジットが上限値に達している遊技において、所定の条件を満たすと、駆動制御手段がホッパモータを駆動させて、メダルの払い出しを可能とする払出処理を実行するように構成され、
ディスクには、ホッパ内に貯留されているメダルを保持可能な保持部が複数設けられ、
特定の状況下でホッパモータが駆動してディスクが回転すると、保持部に保持されているメダルが放出部から順次払い出されるように形成され、
特定の状況下で実行された払出処理によって最後に払い出されるメダルが放出口から払い出された瞬間の当該最後に払い出されるメダルが保持されていた保持部の位置を、第１位置とし、
特定の状況下で実行された払出処理によって最後に払い出されるメダルが放出口から払い出された瞬間における、次回の払出処理で払い出され得る最初に払い出されるメダルが保持されている保持部の位置を、第２位置とし、
特定の状況下で実行された払出処理が終了しディスクの回転が停止したときは、前記次回の払出処理で払い出され得る最初に払い出されるメダルが保持されている保持部が、第１位置と第２位置との間に位置している
ことを特徴とする遊技機である。
＜付記＞
尚、本態様とは異なる別態様について以下に列記しておくが、これらには何ら限定されることなく実施することが可能である。
本別態様に係る遊技機は、
演出を表示可能な演出表示部と、
演出用可動物と
を備え、
演出表示部に表示される第一の演出を有し、
第一の演出の実行中においては、遊技者に有利な結果が付与される可能性が高いことを報知する結果示唆演出が実行され得るよう構成されており、
第一の演出の実行中において、演出用可動物が動作した後に結果示唆演出が実行される場合があるよう構成されている
ことを特徴とする遊技機である。
【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
開口部を有する容器と前記開口部を閉鎖するように前記容器に取り付けられる膜及び薄膜とを備え、前記薄膜は前記膜よりも前記容器側に配置されており、前記容器と前記薄膜との間に薬剤収容部が形成される薬剤揮散体と、前記膜及び前記薄膜に押圧力を加えるための押圧部材と、を含む薬剤揮散装置であって、
前記膜は、薬剤を揮散させるように機能する膜であり、
前記薄膜は、前記押圧部材によって前記膜及び前記薄膜を前記容器側へと押圧する押圧力が前記膜及び前記薄膜に対して加えられた場合に、前記膜よりも少ない伸長量で破断するように構成されており、
前記押圧部材は、前記薄膜の破断後に前記膜に接触し続けるように構成されている、薬剤揮散装置。
【請求項２】
前記薬剤揮散体は、前記薄膜の前記容器側の面を部分的に覆う板部材を備え、
前記容器には、前記板部材を前記薄膜の前記容器側の面に隣接乃至接触させるように前記板部材を支持するための支持部が設けられており、
前記薬剤揮散体は、前記膜及び前記薄膜に対して前記押圧部材によって前記押圧力が加えられた場合に、前記板部材が前記膜及び前記薄膜の伸長を部分的に阻止するように構成されている、請求項１に記載の薬剤揮散装置。
【請求項３】
前記押圧部材は、前記薬剤揮散体の前記薄膜の前記容器側の面のうち前記板部材によって覆われていない非被覆部分を伸長させるように、前記膜の外側の面のうち前記非被覆部分に対応する部分に前記押圧力を加えるように構成されている、請求項２に記載の薬剤揮散装置。
【請求項４】
膜及び薄膜と、前記膜及び前記薄膜に取り付けられる可撓性シートと、を備え、前記薄膜は、前記膜よりも前記可撓性シート側に配置されており、前記薄膜と前記可撓性シートとの間に薬剤収容部が形成される薬剤揮散体と、前記膜及び前記薄膜に押圧力を加えるための押圧部材と、を含む薬剤揮散装置であって、
前記膜は、薬剤を揮散させるように機能する膜であり、
前記薄膜は、前記押圧部材によって前記膜及び前記薄膜を前記可撓性シート側へと押圧する押圧力が前記膜及び前記薄膜に対して加えられた場合に、前記膜よりも少ない伸長量で破断するように構成されており、
前記押圧部材は、前記薄膜の破断後に前記膜に接触し続けるように構成されている、薬剤揮散装置。
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
第１経路面と、前記第１経路面と対向する第２経路面との間で媒体を搬送する経路を形成する搬送経路と、
前記第１経路面の一部を形成する透明部材と、
前記搬送経路を搬送される前記媒体を、前記透明部材を介して読み取る読取部と、
前記媒体を前記透明部材に向けて押さえる押さえ部材と、
前記押さえ部材を前記透明部材に向けて押圧する押圧部材と、を備え、
前記押さえ部材は、
前記読取部による読取領域よりも媒体搬送方向の下流において前記透明部材に接触する接触部と、
前記読取領域を含む、前記接触部よりも前記媒体搬送方向の上流において、前記接触部よりも前記透明部材から離間する方向に位置し、前記押さえ部材と前記透明部材との間に前記媒体を搬送可能な間隙を隔てて形成された間隔形成面と、を備えている、
ことを特徴とする画像読取装置。
【請求項２】
請求項１に記載の画像読取装置において、
前記押圧部材による前記押さえ部材の押圧位置は、前記媒体搬送方向において、前記接触部の位置とずれている、
ことを特徴とする画像読取装置。
【請求項３】
請求項１又は２に記載の画像読取装置において、
前記押圧位置は、前記媒体搬送方向において前記間隔形成面と重なる、ことを特徴とする画像読取装置。
【請求項４】
請求項３に記載の画像読取装置において、
前記押さえ部材は、前記押圧位置よりも前記媒体搬送方向の上流を回動支点として、前記接触部が前記押圧部材による押圧力に抗して前記透明部材から離れる方向に回動可能に構成されている、
ことを特徴とする画像読取装置。
【請求項５】
請求項１から請求項４のいずれか一項に記載の画像読取装置において、
前記押さえ部材は、前記媒体搬送方向と交差する幅方向において前記間隔形成面の両側に設けられ、媒体搬送領域の前記幅方向の外側において前記第１経路面と当接する足部を備える、
ことを特徴とする画像読取装置。
【請求項６】
請求項５に記載の画像読取装置において、
前記読取領域の上流の前記透明部材にシート材を備える、
ことを特徴とする画像読取装置。
【請求項７】
請求項１から請求項６のいずれか一項に記載の画像読取装置において、
前記押さえ部材は、前記媒体搬送方向において前記接触部と前記間隔形成面とを繋ぐ傾斜面を備える、
ことを特徴とする画像読取装置。
【請求項８】
請求項７に記載の画像読取装置において、前記接触部及び前記傾斜面は、前記媒体搬送方向と交差する幅方向において前記搬送経路の全域に亘って設けられる、
ことを特徴とする画像読取装置。
【請求項９】
請求項１から請求項８のいずれか一項に記載の画像読取装置において、
前記接触部は、前記押さえ部材の前記媒体搬送方向における下流の端部に設けられている、
ことを特徴とする画像読取装置。
【請求項１０】
請求項９に記載の画像読取装置において、
前記第１経路面は、前記接触部と前記透明部材との間を通過した前記媒体を前記透明部材から離す方向に掬う掬い部材を備える、
ことを特徴とする画像読取装置。
【請求項１１】
請求項１から請求項１０のいずれか一項に記載の画像読取装置において、
前記押さえ部材と前記押圧部材との間に配置されて前記押さえ部材を補強する補強部材を備え、
前記押圧部材及び前記補強部材は導電性を有し、
前記押さえ部材は、前記補強部材及び前記押圧部材を介して接地される、
ことを特徴とする画像読取装置。
【請求項１２】
請求項１から請求項１１のいずれか一項に記載の画像読取装置において、
前記押さえ部材は、前記読取部が読み取りの基準とする白基準板を備え、
前記白基準板は、シート状の透光性部材と、前記透光性部材の第１面に設けられた白色着色層と、を備えて成り、前記白色着色層と前記押さえ部材との間に配置される接着層により前記間隔形成面に接着される、
ことを特徴とする画像読取装置。